(57)【要約】【課題】反射光による危険性、箔押し品質の低下、構成の複雑化、位置決めの困難性を解決することを可能にした光照射装置を提供する。【解決手段】先端部位から光を出射する光照射装置において、中空な筐体と、上記筐体内に光を供給する光源と、上記筐体の一方の端部から他方の端部側へ移動自在に配設されるとともに、上記筐体内に供給された光を出射する先端部材と、上記先端部材を上記一方の端部へ付勢する付勢力を備えた付勢手段と、上記先端部材が上記付勢手段の付勢力に抗して上記一方の端部から上記他方の端部側へ移動したことを検知する検知手段と、上記検知手段の検知結果に基づいて、上記光源の光の強度を変化するように上記光源を制御する制御手段とを有する。【選択図】        図３
2018144089.tif 000002
【特許請求の範囲】
【請求項１】
先端部位から光を出射する光照射装置において、
中空な筐体と、
前記筐体内に光を供給する光源と、
前記筐体の一方の端部から他方の端部側へ移動自在に配設されるとともに、前記筐体内に供給された光を出射する先端部材と、
前記先端部材を前記一方の端部へ付勢する付勢力を備えた付勢手段と、
前記先端部材が前記付勢手段の付勢力に抗して前記一方の端部から前記他方の端部側へ移動したことを検知する検知手段と、
前記検知手段の検知結果に基づいて、前記光源の光の強度を変化するように前記光源を制御する制御手段と
を有することを特徴とする光照射装置。
【請求項２】
請求項１に記載の光照射装置において、
前記筐体内に供給された光を前記先端部材へ集光する光学系を有する
ことを特徴とする光照射装置。
【請求項３】
請求項２に記載の光照射装置において、
前記光学系は、凸面が互いに対向するように配置した一対のレンズにより構成した
ことを特徴とする光照射装置。
【請求項４】
請求項２または３に記載の光照射装置において、
前記先端部材の先端面は、略半球面形状に形成されており、前記先端面の頂部に前記筐体内に供給された光が集光される
ことを特徴とする光照射装置。
【請求項５】
請求項４に記載の光照射装置において、
前記先端部材が前記付勢手段の付勢力に抗して前記一方の端部から前記他方の端部側の予め設定された位置に移動したときに、前記頂部に前記筐体内に供給された光が集光される
ことを特徴とする光照射装置。
【請求項６】
請求項１、２、３、４または５のいずれか１項に記載の光照射装置において、
前記制御手段は、
前記検知手段の検知結果が、前記先端部材が移動していない状態を示す場合には、予め設定された値より低い強度の光となるように前記光源を制御し、
前記検知手段の検知結果が、前記先端部材が移動している状態を示す場合には、予め設定された値より高い強度の光となるように前記光源を制御する
ことを特徴とする光照射装置。
【請求項７】
請求項１、２、３、４、５または６のいずれか１項に記載の光照射装置において、
前記光源は、レーザー光源である
ことを特徴とする光照射装置。
【発明の詳細な説明】
【技術分野】
【０００１】
本発明は、光照射装置に関する。さらに詳細には、本発明は、箔フィルムを利用してメディアに所望の図柄などを転写するようにした箔押し装置における箔押しツールや、光により所望の位置を指し示す際に使用する光ポインターなどとして用いて好適な光照射装置に関する。
【０００２】
なお、本明細書において「メディア」とは、普通紙などの紙類よりなる各種の記録媒体は勿論のこと、ＰＶＣ、ポリエステルなどの樹脂材料やアルミ、鉄、木材、布、皮革のような各種の材料が含まれるものとする。
【背景技術】
【０００３】
従来より、箔フィルムを利用して、当該箔フィルムをメディアに転写することにより、メディアに所望の図柄などを転写するようにした箔押し装置が知られている。
【０００４】
図１には、従来の技術による箔押し装置の概略構成斜視説明図が示されている。この図１に示す箔押し装置１００は、コンピューター１０２からの入力に応じて駆動し、コンピューター１０２に記憶された箔押し駆動プログラムによってメディア１０４に対して箔押し処理を行うものである。
【０００５】
そして、この箔押し装置１００は、平板状のベース部材１０６の上面において、前方側および後方側に摺動自在にテーブル１０８が設けられており、このテーブル１０８上には箔フィルム（図示せず。）およびメディア１０４などを保持する保持部材１１０が設けられている。
【０００６】
また、ベース部材１０６の後方側においては、門型で立設された支持部材１１２が設けられ、この支持部材１１２には左方側および右方側に摺動自在に設けられたスライダ１１４が設けられている。
【０００７】
さらに、このスライダ１１４には、上方側および下方側に摺動自在に設けられたスライダ１１６が設けられ、スライダ１１６には、箔押しツール１１８が把持されている。
【０００８】
箔押しツールとしては、例えば、先端部から光としてレーザー光を出射する光照射装置たるペン（本明細書においては、「先端部から光としてレーザー光を出射する光照射装置たるペン」を「レーザーペン」と適宜に称する。）や、ニクロム線もしくはセラミックヒータにより先端部の銅部材が加熱されるペン（本明細書においては、「ニクロム線もしくはセラミックヒータにより先端部の銅部材が加熱されるペン」を「ヒートペン」と適宜に称する。）がある。
【０００９】
なお、レーザーペンは、先端部から出射されたレーザー光により熱を発生し、それにより箔フィルムをメディアに転写する。
【００１０】
こうした構成により箔押し装置１００においては、保持部材１１０に保持された箔フィルムおよびメディア１０４に対する箔押しツール１１８の相対的な位置関係が三次元方向に移動可能となっている。
【００１１】
以上の構成において、メディア１０４に対して箔押し処理を行う場合には、コンピューター１０２および箔押し装置１００が起動した状態で保持部材１１０にメディア１０４を保持する。
【００１２】
次に、保持部材１１０によりメディア１０４上に箔フィルムを固定的に載置し、コンピューター１０２に記憶された箔押し駆動プログラムによって、箔押し装置１００により箔押し処理を実行する。
【００１３】
すると、箔押し装置１００は、箔フィルムを介してメディア１０４上に箔押しツール１１８の先端部を押しつけながら、コンピューター１０２に記憶された図形データに基づいて箔押しツール１１８を走査する。
【００１４】
このとき、箔押しツール１１８により発生される熱により、メディア１０４上において箔押しツール１１８の先端部が押しつけられた領域に、箔押しツール１１８により発生される熱と圧力によって箔フィルムが転写(熱転写）されて、メディア１０４上に箔押し処理が施されることとなる。
【００１５】
こうした箔押し装置１００による箔押し処理では、メディア１０４に形成された図形たる成果物は、一般的な印刷などの処理では表現し難い金属感や光沢による高級感を備えたものとなる。
【００１６】
ところで、従来のレーザーペンは、箔フィルムと当接して押圧することにより箔押しを行うための先端部材として、光ファイバーにより導光されたレーザー光を集光するための集光レンズを設けている。そして、コンピューターの制御により、集光レンズが箔フィルムにおける箔押しする箇所の直上に到達したタイミングで、箔押しに必要なパワー密度（強度）のレーザー光を出射するようにしてレーザー光源を制御していた。
【００１７】
即ち、従来のレーザーペンによれば、押圧状態にかかわらず、箔押しに必要な大きなパワー密度のレーザー光を出射できていたため、ペン先が箔フィルムから浮いていると当該大きなパワー密度のレーザー光が箔フィルムにより反射され、反射光が作業者の目に入ると危険であるという問題点（問題点１：反射光による危険性）があった。
【００１８】
また、従来のレーザーペンによれば、上記したようにレーザーペンにより箔フィルムを実際に押圧するか否かに関わらず、箔押しに必要なパワー密度のレーザー光を出射するようにしているため、箔フィルムに対するレーザーペンの押圧力とレーザー光のパワー密度との関係性が適切でない状況が発生しやすく、その場合には所望の領域の箔押しを行うことができずに箔押し品質を低下させるという問題点（問題点２：箔押し品質の低下）があった。
【００１９】
さらに、従来の箔押し装置においては、作業者の作業効率向上のために、箔フィルム上における箔押し箇所を光で示して位置決めするような場合には、レーザーペンとは別にレーザーポインターなど光ポインターを設ける必要がある。このため、構成が複雑化して製造コストが上昇するという問題点（問題点３：構成の複雑化）があった。
【００２０】
さらにまた、上記したようにレーザーペンとは別にレーザーポインターなど光ポインターを設ける場合には、レーザーポインターから出射されるレーザー光の光軸と光ポインターから出射される光の光軸とが一致せずにずれる。このため、箔フィルム上において正確な位置決めを行うことが容易ではないという問題点（問題点４：位置決めの困難性）があった。
【００２１】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００２２】
本発明は、従来の技術の有する上記したような種々の問題点に鑑みてなされたものであり、その目的とするところは、上記した種々の問題点、即ち、反射光による危険性、箔押し品質の低下、構成の複雑化、位置決めの困難性を解決することを可能にした光照射装置を提供しようとするものである。
【課題を解決するための手段】
【００２３】
上記目的を達成するために、本発明は、光照射装置における先端部材を可動にして、当該先端部材の押圧による移動を検知し、その検知結果に基づいて光源から出射される光の強度を制御するようにしたものである。
【００２４】
従って、本発明によれば、光照射装置の先端部材が箔フィルムに押圧されて移動したタイミングで、箔押しに必要な強度となるように光源から出射される光の強度を制御することができる。
【００２５】
このため、箔押しに必要な高い強度の光がペン先が浮いた状態で出斜され、箔フィルムにより反射するようになることを避けることができ、箔フィルムからの反射光による危険性を排除することができる。
【００２６】
また、箔フィルムに対する先端部材の押圧力と光の強度との関係性を適切に設定することが可能となり、箔押し品質の低下を防止することができる。
【００２７】
さらに、先端部材が押圧されて移動していない状態では、先端部材から人体に対する危険性のない弱い強度の光を出力するように光源を制御することにより、構成の複雑化を招来することなく箔押し箇所を光で示して位置決めを行うことが可能となる。
【００２８】
さらにまた、箔押し箇所を示す光の光軸と箔押しの際の光の光軸とが一致するので、箔フィルム上において正確な位置決めを容易に行うことができる。
【００２９】
即ち、本発明は、先端部位から光を出射する光照射装置において、中空な筐体と、上記筐体内に光を供給する光源と、上記筐体の一方の端部から他方の端部側へ移動自在に配設されるとともに、上記筐体内に供給された光を出射する先端部材と、上記先端部材を上記一方の端部へ付勢する付勢力を備えた付勢手段と、上記先端部材が上記付勢手段の付勢力に抗して上記一方の端部から上記他方の端部側へ移動したことを検知する検知手段と、上記検知手段の検知結果に基づいて、上記光源の光の強度を変化するように上記光源を制御する制御手段とを有するようにしたものである。
【００３０】
また、本発明は、上記した本発明において、上記筐体内に供給された光を上記先端部材へ集光する光学系を有するようにしたものである。
【００３１】
また、本発明は、上記した本発明において、上記光学系は、凸面が互いに対向するように配置した一対のレンズにより構成したものである。
【００３２】
また、本発明は、上記した本発明において、上記先端部材の先端面は、略半球面形状に形成されており、上記先端面の頂部に上記筐体内に供給された光が集光されるようにしたものである。
【００３３】
また、本発明は、上記した本発明において、上記先端部材が上記付勢手段の付勢力に抗して上記一方の端部から上記他方の端部側の予め設定された位置に移動したときに、上記頂部に上記筐体内に供給された光が集光されるようにしたものである。
【００３４】
また、本発明は、上記した本発明において、上記制御手段は、上記検知手段の検知結果が、上記先端部材が移動していない状態を示す場合には、予め設定された値より低い強度の光となるように上記光源を制御し、上記検知手段の検知結果が、上記先端部材が移動している状態を示す場合には、予め設定された値より高い強度の光となるように上記光源を制御するようにしたものである。
【００３５】
また、本発明は、上記した本発明において、上記光源は、レーザー光源であるようにしたものである。
【発明の効果】
【００３６】
本発明は、以上説明したように構成されているので、従来の技術における種々の問題点、即ち、反射光による危険性、箔押し品質の低下、構成の複雑化、位置決めの困難性を解決することができるようになるという優れた効果を奏する。
【図面の簡単な説明】
【００３７】
【図１】図１は、従来の技術による箔押し装置の概略構成斜視説明図である。
【図２】図２は、本発明による光照射装置の実施の形態の一例としてのレーザーペンの概略構成を模式的に示した斜視説明図である。
【図３】図３は、図２のＡ−Ａ線による断面図であり、先端部材が筐体内に押し込まれていない状態を示す。なお、図３に示された数値は寸法の一例であり、単位はｍｍ（ミールメートル）である。
【図４】図４は、図２のＡ−Ａ線による断面図であり、先端部材が筐体内に押し込まれている状態を示す。なお、図４に示された数値は寸法の一例であり、単位はｍｍ（ミリメートル）である。
【図５】図５（ａ）（ｂ）は、図２に示すレーザーペンの光学系を示す光路説明図である。図５（ａ）は、図３に示す先端部材が筐体内に押し込まれていない状態のときの光路説明図である。図５（ａ）に示された数値は寸法の一例であり、単位はｍｍ（ミリメートル）であって、図３に示した寸法に対応する。図５（ｂ）は、図４に示す先端部材が筐体内に押し込まれている状態のときの光路説明図である。図５（ｂ）に示された数値は寸法の一例であり、単位はｍｍ（ミリメートル）であって、図４に示した寸法に対応する。
【発明を実施するための形態】
【００３８】
以下、添付の図面を参照しながら、本発明による光照射装置の実施の形態の一例を詳細に説明するものとする。なお、以下の説明においては、本発明による光照射装置を箔押しツールとしてのレーザーペンとして実施した場合について説明する。
【００３９】
図２には、本発明による光照射装置の実施の形態の一例としてのレーザーペンの概略構成を模式的に示した斜視説明図があらわされている。また、図３には、図２のＡ−Ａ線による断面図であって、先端部材が筐体内に押し込まれていない状態が示されている。また、図４には、図２のＡ−Ａ線による断面図であって、先端部材が筐体内に押し込まれている状態が示されている。なお、説明の便宜上、図２乃至図４の紙面において、紙面の上端側方向の位置を「上方側」とし、紙面の下端側方向の位置を「下方側」として説明する。
【００４０】
この本発明による光照射装置の実施の形態の一例としてのレーザーペン１０は、中心軸方向が上下方向に延長した略円筒形状の筐体１２と、筐体１２の下方端部側に配置された先端部材１４と、筐体１２の上方端部側に一方の端部１６ａを接続された光ファイバー１６と、光ファイバー１６の他方の端部１６ｂと接続されて光ファイバー１６へレーザー光を入射して筐体１２内にレーザー光を供給するレーザー光源１８と、筐体１２の下方側に配設された光センサー２０と、制御部３０を有して構成されている。
【００４１】
制御部３０は、例えば、マイクロコンピューターなどにより構成されている。レーザー光源１８は、光センサー２０の検知結果に基づく制御部３０の制御により、出射するレーザー光のパワー密度（強度）を変化するように制御される。
【００４２】
なお、符号３２は、光センサー２０と制御部３０とレーザー光源１８とを接続するケーブルである。
【００４３】
ここで、光の強度については、例えば、「ＣＯＨＥＲＥＮＴ社製  Ｆｉｅｌｄ  Ｍａｘ  ＩＩ  （型番ＰＳ１９）」を使用して計測することが可能である。
【００４４】
より詳細には、筐体１２は、内部が中空の略円筒形状を備えている。上方側の開口部１２ａには、光ファイバーの一方の端部１６ａが接続されている。筐体１２の内部には、光ファイバー１６の一方の端部１６ａにおけるレーザー光出射面１６ａａから下方位置に、下方に向かってテーパー状に径が拡大する筐体テーパー形状部１２ｂが形成されている。筐体テーパー形状部１２ｂの上方側開口部１２ｂａは、レーザー光出射面１６ａａと略同径に形成されている。筐体テーパー形状部１２ｂの下方には、筐体テーパー形状部１２ｂの下方側開口部１２ｂｂと略同径で延長する光学系配置部１２ｃが形成されている。即ち、光学系配置部１２ｃの上方側開口部１２ｃａと下方側開口部１２ｃｂとは、下方側開口部１２ｂｂと略同径に形成されている。光学系配置部１２ｃの下方には、下方側開口部１２ｃｂよりも大径に形成された可動部材移動領域１２ｄが形成されている。筐体１２の下端部となる可動部材移動領域１２ｄの下端部は、内径側に突出していて、内径方向突出部１２ｄａが形成されている。
【００４５】
光学系配置部１２ｃには、光学系を構成する平凸レンズ２６と平凸レンズ２８とが配設されている。より詳細には、光学系配置部１２ｃの上方側開口部１２ｃａには、レーザー光出射面１６ａａから出射されたレーザー光の入射面（上方側面）が平面２６ａにより形成され、かつ、出射面（下方側面）が凸面２６ｂにより形成された平凸レンズ２６が配設されている。また、光学系配置部１２ｃの下方側開口部１２ｃｂには、レーザー光の入射面（上方側面）が凸面２８ａにより形成され、かつ、出射面（下方側面）が平面２８ｂにより形成された平凸レンズ２８が配設されている。即ち、光学系を構成する平凸レンズ２６と平凸レンズ２８とは、平凸レンズ２６の出射面である凸面２６ｂと平凸レンズ２８の入射面である凸面２８ａとが対向するように配置されている。
【００４６】
レーザーペン１０には、可動部材移動領域１２ｄ内を上下方向に移動自在な可動部材２２が配設されている。可動部材２２には、上方側開口部２２ａａが下方側開口部１２ｃｂと略同径に形成され、下方に向かってテーパー状に径が縮小する可動部材テーパー形状部２２ａが形成されている。可動部材テーパー形状部２２ａの下方側開口部２２ａｂの下方には、下方側開口部２２ａｂと略同径で延長して下端面２２ｂで開口する先端部材配置部２２ｃが形成されている。可動部材２２の上方側開口部２２ａａには、外径側に突出して内径方向突出部１２ｄａと当接可能な外径方向突出部２２ｄが形成されている。可動部材移動領域１２ｄ内において、外径方向突出部２２ｄと内径方向突出部１２ｄａとが当接することにより、可動部材２２が筐体１２から落下することなく、可動部材移動領域１２ｄ内に保持される。
【００４７】
先端部材配置部２２ｃには、先端面１４ａが下端面２２ｂから下方側に突出するようにして先端部材１４が固定的に配設されている。先端部材１４の先端面１４ａは、略半球面形状に形成されている。箔押し処理の際には、この先端面１４ａが箔フィルムＦと当接する。また、先端部材１４は、レーザー光を透過する光透過性材料（例えば、石英ガラスやアクリル樹脂である。）により構成されている。
【００４８】
筐体１２における光学系配置部１２ｃの外径側において上下方向に沿って穿設されたバネ固定部１２ｅと外径方向突出部２２ｄの上面との間には、上下方向に拡開するように付勢するバネ２４が配設されている。このバネ２４の付勢力によって、外径方向突出部２２ｄは内径方向突出部１２ｄａに押し付けられる方向に付勢される。従って、先端部材１４や可動部材２２に対し、先端部材１４や可動部材２２を筐体１２の可動部材移動領域１２ｄ内に押し込む方向へ押圧する負荷がかかっていない場合には、図３に示すように、外径方向突出部２２ｄと内径方向突出部１２ｄａとが当接した状態となる。一方、先端部材１４や可動部材２２に対し、バネ２４の付勢力に抗して先端部材１４や可動部材２２を筐体１２の可動部材移動領域１２ｄ内に押し込む方向へ押圧する負荷を加えると、先端部材１４と可動部材２２とが可動部材移動領域１２ｄ内を上方へ移動する。この移動は、図４に示すように、外径方向突出部２２ｄと下方側開口部１２ｃｂにおける下方端面部１２ｃｃとが当接することにより停止する。
【００４９】
筐体１２における下方側開口部１２ｃｂの下方位置には、光センサー２０が配置されている。光センサー２０は、筐体１２の軸方向と直交する方向、即ち、径方向において対向するように配置された発光素子２０ａと受光素子２０ｂとにより構成されている。発光素子２０ａと受光素子２０ｂとは、外径方向突出部２２ｄと内径方向突出部１２ｄａとが当接した状態（図３を参照する。）においては、発光素子２０ａから出射された光が受光素子２０ｂで受光可能であり、かつ、外径方向突出部２２ｄと下方端面部１２ｃｃとが当接した状態（図４を参照する。）においては、発光素子２０ａから出射された光が受光素子２０ｂで受光不能である位置関係で配置されている。
【００５０】
即ち、外径方向突出部２２ｄと内径方向突出部１２ｄａとが当接した状態（図３を参照する。）においては、発光素子２０ａと受光素子２０ｂとの間に遮蔽物がないので、発光素子２０ａから出射された光が受光素子２０ｂで受光可能である。
【００５１】
一方、バネ２４の付勢力に抗して先端部材１４と可動部材２２とが可動部材移動領域１２ｄ内を上方へ移動して、外径方向突出部２２ｄと下方端面部１２ｃｃとが当接した状態（図４を参照する。）では、可動部材２２が発光素子２０ａと受光素子２０ｂとの間の遮蔽物となり、発光素子２０ａから出射された光が受光素子２０ｂで受光不能となる。
【００５２】
制御部３０は、光センサー２０の検知結果に基づいて、レーザー光源１８が出射するレーザー光のパワー密度を変化するように、レーザー光源１８の出力を制御する。具体的には、制御部３０は、光センサー２０の検知結果が、受光素子２０ａから出射された光を受光素子２０ｂが受光している状態を示す場合には、予め設定された値より低い強度の光として、先端部材１４から人体に影響のないパワー密度（箔押しに必要なパワー密度よりも低いパワー密度である。）のレーザー光が出射されるように、レーザー光源１８の出力を制御する。また、制御部３０は、光センサー２０の検知結果が、受光素子２０ａから出射された光を受光素子２０ｂが受光していない状態を示す場合には、予め設定された値より高い強度の光として、先端部材１４の頂部１４ａａ（後述する。）に集光されるレーザー光が箔押しに必要なパワー密度となるように、レーザー光源１８の出力を制御する。
【００５３】
ここで、人体に影響のない強度の光とは、レーザー光の場合では、「ＪＩＳ  Ｃ  ６８０２  クラスＩ」である。
【００５４】
なお、バネ２４の付勢力は、箔押し処理に際して最適な押圧力により先端部材１４が箔フィルムＦに押し付けられた際に、外径方向突出部２２ｄと下方端面部１２ｃｃとが当接した状態となるように設定することが好ましい。なお、最適な押圧力とは、箔フィルムを損傷することなく適正な箔押し処理が行われる押圧力を意味する。押圧力が強すぎると箔フィルムが損傷することがあり、また、押圧力が弱すぎると適正な箔押し処理が行われない。
【００５５】
次に、図５（ａ）（ｂ）には、レーザーペン１０の光学系を示す光路説明図があらわされている。例えば、光学系の配置が図５（ａ）（ｂ）に示す寸法に配置されている場合には、平凸レンズ２６と平凸レンズ２８とは、直径Ｄ１が１０ｍｍで、焦点距離が１０ｍｍとなるように寸法設定することが好ましい。また、先端部材１４は、直径Ｄ２が４ｍｍで、先端面１４ａの曲率半径が２．５ｍｍとなるように寸法設定することが好ましい。
【００５６】
レーザーペン１０の光学系は、図３に示す外径方向突出部２２ｄと内径方向突出部１２ｄａとが当接した状態では、先端部材１４の先端面１４ａから出射されるレーザー光が平行光となり、一方、図４に示す外径方向突出部２２ｄと下方端面部１２ｃｃとが当接した状態では、先端部材１４の先端面１４ａにおける頂部１４ａａにレーザー光が集光されるように設計されている。
【００５７】
なお、レーザーペン１０は、本実施の形態に示すような寸法設定に限定されるものではなく、図３に示す外径方向突出部２２ｄと内径方向突出部１２ｄａとが当接した状態では、先端部材１４の先端面１４ａから出射されるレーザー光が平行光となり、一方、図４に示す外径方向突出部２２ｄと下方端面部１２ｃｃとが当接した状態では、先端部材１４の先端面１４ａにおける頂部１４ａａにレーザー光が集光されるように設計されていれば、適宜の寸法に設定してよく、また、光学系を設けなくてもよい。
【００５８】
以上の構成において、例えば、図１を参照しながら説明したような従来より公知の箔押し装置にレーザーペン１０を取り付けて箔押し処理する場合について説明する。
【００５９】
箔押し処理が開始されても、レーザーペン１０の先端部材１４や可動部材２２を筐体１２の可動部材移動領域１２ｄ内に押し込む方向へ負荷が加えられていない場合には、バネ２４の付勢力により外径方向突出部２２ｄと内径方向突出部１２ｄａとは当接した状態となる。この状態では、発光素子２０ａと受光素子２０ｂとの間に遮蔽物がないので、発光素子２０ａから出射された光が受光素子２０ｂで受光可能であるため、制御部３０によるレーザー光源１８の制御により、先端部材１４からは人体に影響のないパワー密度のレーザー光が平行光として出射される。この平行光は人体に影響のないパワー密度であるので、箔フィルムＦからの反射光が人体に及ぼす危険性はない。
【００６０】
従って、箔フィルムＦ上における箔押し箇所を光で示して位置決めする際には、レーザーペン１０とは別にレーザーポインターなど光ポインターを設けることなく、上記した先端部材１４から出射される平行光を利用することができる。また、この平行光の光軸と先端面１４ａの頂部１４ａａに集光されるレーザー光の光軸（集光位置）とは一致しているので、箔フィルムＦ上において正確な位置決めを行うことができる。
【００６１】
箔フィルムＦに先端部材１４の先端面１４ａが押し付けられて、バネ２４の付勢力に抗して先端部材１４と可動部材２２とが可動部材移動領域１２ｄ内を上方へ移動していくと、外径方向突出部２２ｄと下方端面部１２ｃｃとが当接した状態となる。この状態においては、可動部材２２が発光素子２０ａと受光素子２０ｂとの間の遮蔽物となる。このため、受光素子２０ａから出射された光を受光素子２０ｂが受光不能であるので、制御部３０によるレーザー光源１８の制御により、レーザー光源１８から箔押しに必要なパワー密度のレーザー光が出射されて頂部１４ａａに集光される。
【００６２】
バネ２４の付勢力が、箔押し処理に際して最適な押圧力により先端部材１４が箔フィルムに押し付けられた際に、外径方向突出部２２ｄと下方端面部１２ｃｃとが当接した状態となるように設定されていると、先端部材１４の先端面１４ａの頂部１４ａａにレーザー光を集光した状態において最適な押圧力により箔フィルムＦを押圧することができる。
【００６３】
従って、箔フィルムＦに対する先端部材１４の押圧力とレーザー光のパワー密度との関係性を適切に設定することが可能となり、箔押し品質の低下を防止することができる。
【００６４】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００６５】
例えば、上記した実施の形態は、以下の（１）乃至（１０）に示すように変形するようにしてもよい。
【００６６】
（１）上記した実施の形態においては、本発明による光照射装置を箔押しツールとしてのレーザーペンとして実施した場合について説明したが、これに限られるものではないことは勿論である。即ち、本発明による光照射装置は、レーザーペンに限られず、先端部材を押圧して移動することにより、先端部材から出射される光の強度を変化することが望まれる各種の装置に実施することができる。
【００６７】
（２）上記した実施の形態においては、光源としてレーザー光源１８を用いた場合について説明したが、光源はレーザー光源に限られるものではないことは勿論である。光源としては、必要な強度の光を得られるものであればいずれの光源でもよく、レーザー光源の他に、例えば、ＬＥＤ（発光ダイオード）、蛍光灯、白熱灯あるいはＨＩＤ（高輝度放電灯）などのような各種の光源を用いることができる。
【００６８】
（３）上記した実施の形態においては、本発明の理解を容易にするために、寸法などについて具体的な数値を示したが、本発明はこれらの数値に限定されるものではないことは，勿論である。本発明は、設計条件などに応じて、種々の数値をもって構成してよいことは勿論である。
【００６９】
（４）上記した実施の形態においては、凸面２６ｂと凸面２８ａとが対向するように平凸レンズ２６と平凸レンズ２８と配置して光学系を構成したが、光学系の構成はこれに限られるものではないことは勿論である。即ち、先端部材１４の先端面１４ａの頂部１４ａａにレーザー光を集光することができ、かつ、先端部材１４の先端面１４ａから平行光を出射することが可能な光学系であれば、任意の光学系を用いてよい。例えば、凸レンズ２６と平凸レンズ２８とに代えて一対の凸レンズを用いるようにしてもよい。
【００７０】
（５）上記した実施の形態においては、凸面２６ｂと凸面２８ａとが対向するように平凸レンズ２６と平凸レンズ２８と配置して光学系を構成し、レーザー光を集光することと平行光とすることを選択可能としたが、こうした光学系を設けなくてもよいことは勿論である。例えば、レーザー光を集光したり平行光としたりすることが必要のない場合には、上記した光学系を設けなくてもよい。
【００７１】
（６）上記した実施の形態においては、レーザー光源１８から出射されたレーザー光を光ファイバー１６により導光して、レーザー光出射面１６ａａから筐体１２内にレーザー光を供給するようにしたが、これに限られるものではないことは勿論である。例えば、レーザー光出射面１６ａａに相当する位置にレーザー光源自体を配置するようして、光ファイバー１６を用いずに、レーザー光源から筐体１２内にレーザー光を供給するようにしてもよい。
【００７２】
（７）上記した実施の形態においては、外径方向突出部２２ｄを内径方向突出部１２ｄａに押し付ける方向に付勢する付勢力を付与する付勢手段としてバネ２４を用いたが、付勢手段はこれに限られるものではないことは勿論である。付勢手段としては、例えば、ゴムなどの弾性部材を用いてもよい。
【００７３】
（８）上記した実施の形態においては、可動部材２２ｄの移動を検知する検知手段として光センサー２０を用いたが、検知手段はこれに限られるものではないことは勿論である。検知手段としては、例えば、光センサー２０のような非接触型センサーに代えて、マイクロスイッチなどのような接触型センサーを用いるようにしてもよい。
【００７４】
（９）レーザーペン１０は、図１を参照しながら説明したような構成の箔押し装置に限られず、各種構成の箔押し装置の箔押しツールとして利用することができる。
（１０）上記した実施の形態ならびに上記した（１）乃至（９）に示す各種の変形例は、適宜に組み合わせるようにしてもよい。
【産業上の利用可能性】
【００７５】
本発明は、箔押し装置における箔押しツールやレーザーポインターなどとして利用することができる。
【符号の説明】
【００７６】
１０  レーザーペン、１２  筐体、１２ａ  開口部、１２ｂ  筐体テーパー形状部、１２ｂａ  上方側開口部、１２ｂｂ  下方側開口部、１２ｃ  光学系配置部、１２ｃａ  上方側開口部、１２ｃｂ  下方側開口部、１２ｃｃ  下方端面部、１２ｄ  可動部材移動領域、１２ｄａ  内径方向突出部、１２ｅ  バネ固定部、１４  先端部材、１４ａ  先端面、１４ａａ  頂部、１６  光ファイバー、１６ａ  端部、１６ａａ  レーザー光出射面、１６ｂ  端部、１８  レーザー光源、２０  光センサー（検知手段）、２０ａ  発光素子（検知手段）、２０ｂ  受光素子（検知手段）、２２  可動部材、２２ａ  可動部材テーパー形状部、２２ａａ  上方側開口部、２２ａｂ  下方側開口部、２２ｂ  下端面、２２ｃ  先端部材配置部、２２ｄ  外径方向突出部、２４  バネ（付勢手段）、２６  平凸レンズ（第１の平凸レンズ）、２６ａ  平面、２６ｂ  凸面、２８  平凸レンズ（第２の平凸レンズ）、２８ａ  凸面、２８ｂ  平面、３０  制御部（制御手段）、３２  ケーブル、Ｆ  箔フィルム、１００  箔押し装置、１０２  コンピューター、１０４  メディア、１０６  ベース部材、１０８  テーブル、１１０  保持部材、１１２  支持部材、１１４  スライダ、１１６  スライダ、１１８  箔押しツール
【図１】
2018144089.tif 000003
【図２】
2018144089.tif 000004
【図３】
2018144089.tif 000005
【図４】
2018144089.tif 000006
【図５】
2018144089.tif 000007